(57)【要約】【課題】  作業性の向上と作業効率の向上を図ることができると共に袋ナットについても予め埋め込むことが可能なインサート成形品製造方法とインサート成形品を提供すること。【解決手段】  電気接続用バスバを予め成形されている一次成形品に取り付けて中間品を得る工程と、上記中間品を金型内の所定位置に設置する工程と、上記金型内に樹脂を供給してインサート成形する工程と、を具備したもの。電気接続用バスバを予め成形されている一次成形品に取り付けてなる中間品を用意し、上記中間品を金型内の所定位置に設置して樹脂を供給してインサート成形することにより得るようにしたもの。【選択図】  図１
2006187985.tif 000002
【特許請求の範囲】
【請求項１】
電気接続用バスバを予め成形されている一次成形品に取り付けて中間品を得る工程と、
上記中間品を金型内の所定位置に設置する工程と、
上記金型内に樹脂を供給してインサート成形する工程と、
を具備したことを特徴とするインサート成形品製造方法。
【請求項２】
請求項１記載のインサート成形品製造方法において、
上記一次成形品は一対の板状成形品であり、該一対の板状成形品の間に電気接続用バスバを挟み込むものであることを特徴とするインサート成形品製造方法。
【請求項３】
請求項２記載のインサート成形品製造方法において、
上記一対の板状成形品の間に袋ナットを挟み込むようにしたことを特徴とするインサート成形品製造方法。
【請求項４】
電気接続用バスバを予め成形されている一次成形品に取り付けてなる中間品を用意し、
上記中間品を金型内の所定位置に設置して樹脂を供給してインサート成形することにより得るようにしたことを特徴とするインサート成形品。
【請求項５】
請求項４記載のインサート成形品において、
上記一次成形品は一対の板状成形品であり、該一対の板状成形品の間に電気接続用バスバを挟み込むものであることを特徴とするインサート成形品。
【請求項６】
請求項５記載のインサート成形品において、
上記一対の板状成形品には挟み込んだ電気接続用バスバの周りに樹脂を流し込むための樹脂導入路が形成されていることを特徴とするインサート成形品。
【請求項７】
請求項４記載のインサート成形品において、
上記一対の板状成形品には連結・固定するための嵌合固定部が設けられていることを特徴とするインサート成形品。
【請求項８】
請求項４記載のインサート成形品において、
上記一対の板状成形品の間には袋ナットが挟み込まれていることを特徴とするインサート成形品。
【発明の詳細な説明】
【技術分野】
【０００１】
本発明は、例えば、電気接続箱等のインサート成形品を製造するインサート成形品製造方法とインサート成形品に係り、特に、製造作業の容易化を図ることができるように工夫したものに関する。
【背景技術】
【０００２】
例えば、電気接続箱をインサート成形法によって製造する場合に次のような手順で行なう。
まず、導電板を所要の形状に打ち抜いたり折り曲げたりして電気接続用バスバを形成する。次に、この電気接続用バスバを、インサート成型用の金型内の所定位置に配置する。次に、上記金型内に樹脂を流し込む。後は、所定の養生期間をおいて金型を外すことにより成形された電気接続箱を取り出せば良い。
【０００３】
この種の電気接続箱のインサート成形法を開示するものとして、例えば、特許文献１、特許文献２、特許文献３がある。
【０００４】
【特許文献１】特開平１０−１３６５３３号公報
【特許文献２】特開２０００−１８８１４１号公報
【特許文献３】特開２００２−１５４１３１号公報
【発明の開示】
【発明が解決しようとする課題】
【０００５】
上記従来の構成によると次のような問題があった。
まず、電気接続用バスバを金型内の所定位置に設置する作業が困難であって、作業に熟練を要してしまうという問題があった。特に、電気接続用バスバの厚みが異なり、複数個にわたって設置される場合に顕著であった。
又、従来の方法の場合には、いわゆる「袋ナット」をインサート成形法により電気接続箱内に埋め込むことができないという問題があった。
【０００６】
本発明はこのような点に基づいてなされたものでその目的とするところは、作業性の向上と作業効率の向上を図ることができると共に袋ナットについても予め埋め込むことが可能なインサート成形品製造方法とインサート成形品を提供することにある。
【課題を解決するための手段】
【０００７】
上記目的を達成するべく本願発明の請求項１によるインサート成形品製造方法は、電気接続用バスバを予め成形されている一次成形品に取り付けて中間品を得る工程と、上記中間品を金型内の所定位置に設置する工程と、上記金型内に樹脂を供給してインサート成形する工程と、を具備したことを特徴とするものである。
又、請求項２によるインサート成形品製造方法は、請求項１記載のインサート成形品製造方法において、上記一次成形品は一対の板状成形品であり、該一対の板状成形品の間に電気接続用バスバを挟み込むものであることを特徴とするものである。
又、請求項３によるインサート成形品製造方法は、請求項２記載のインサート成形品製造方法において、上記一対の板状成形品の間に袋ナットを挟み込むようにしたことを特徴とするものである。
又、請求項４によるインサート成形品は、電気接続用バスバを予め成形されている一次成形品に取り付けてなる中間品を用意し、上記中間品を金型内の所定位置に設置して樹脂を供給してインサート成形することにより得るようにしたことを特徴とするものである。
又、請求項５によるインサート成形品は、請求項４記載のインサート成形品において、上記一次成形品は一対の板状成形品であり、該一対の板状成形品の間に電気接続用バスバを挟み込むものであることを特徴とするものである。
又、請求項６によるインサート成形品は、請求項５記載のインサート成形品において、上記一対の板状成形品には挟み込んだ電気接続用バスバの周りに樹脂を流し込むための樹脂導入路が形成されていることを特徴とするものである。
又、請求項７によるインサート成形品は、請求項４記載のインサート成形品において、上記一対の板状成形品には連結・固定するための嵌合固定部が設けられていることを特徴とするものである。
又、請求項８によるインサート成形品は、請求項４記載のインサート成形品において、上記一対の板状成形品の間には袋ナットが挟み込まれていることを特徴とするものである。
【発明の効果】
【０００８】
したがって、本願発明によるインサート成形品製造方法によると、電気接続用バスバを予め成形されている一次成形品に取り付けて中間品を得る工程と、上記中間品を金型内の所定位置に設置する工程と、上記金型内に樹脂を供給してインサート成形する工程と、を具備した構成になっているので、まず、電気接続用バスバを一次成形品に取り付けて中間品として金型の間にセットするようにしているので、従来のように、電気接続用バスバを直接金型内にセットする場合に比べて、作業が簡単になり熟練を要するようなこともない。よって、インサート成形作業が容易になり、その結果、コストの低減を図ることができる。
又、それと同時に従来予め内蔵させることができなかった袋ナットについても同時に組み込むことができるようになり、それによって、インサート成形品の付加価値を高めることができるようになった。
又、一次成形品の形状に様々な変化を持たせることにより、最終的に得られるインサート成形品についても同様に様々な変化を持たせることが可能になる。
又、上記一次成形品を一対の板状成形品とし、該一対の板状成形品の間に電気接続用バスバを挟み込むようにした場合には、作業性がさらに向上するものである。
又、上記一対の板状成形品に挟み込んだ電気接続用バスバの周りに樹脂を流し込むための樹脂導入路を形成した場合には、電気接続用バスバの周囲に樹脂が流れ込むことになり、それによって、電機接続用バスバの固定がより確実なものとなる。
又、上記一対の板状成形品に連結・固定するための嵌合固定部を設けた場合には、一対の板状成形品の間に電気接続用バスバを挟みこんで固定する作業が容易なものとなる。
【発明を実施するための最良の形態】
【０００９】
以下、図１乃至図４を参照して本発明の一実施の形態を説明する。まず、図１に示すように、一次成形品としての樹脂製上板１と樹脂製下板３を成形しておく。これら樹脂製上板１と樹脂製下板３は嵌合構造によって固定されるように形成されている。又、導電板を所要の形状に打ち抜いたり折り曲げたりして電気接続用バスバ５を成形しておく。この電気接続用バスバ５としては、単一品の場合と複数に分かれている場合の二通りがある。又、一般的には厚みは同じであるが、厚みが異なる場合もある。
【００１０】
そして、上記樹脂製上板１と樹脂製下板３との間に上記電気接続用バスバ５を挟み込む。それと同時に上記樹脂製上板１と樹脂製下板３との間の所定位置に袋ナット７を挟み込む。上記樹脂製上板１と樹脂製下板３には、上記電気接続用バスバ５が勘合する嵌合部が予め形成されており、よって、電気接続用バスバ５の位置決めに困難を要することはない。又、上記樹脂製下板３には上記袋ナット７が勘合する嵌合部が予め形成されており、よって、袋ナット７の位置決めに困難を要することはない。又、上記樹脂製下板３には、位置決めした電気接続用バスバ５の周りに、後述する樹脂を流し込むための樹脂導入路としての溝４が形成されている。
【００１１】
そして、上記樹脂製上板１と樹脂製下板３とが嵌合することにより固定されることになる。ここまでの作業によって中間品９を得る。上記樹脂製上板１と樹脂製下板３との嵌合であるが、図１に示すように、樹脂製下板３側には嵌合突起３ａが突出・形成されていて、一方、上記樹脂製上板１側には嵌合穴１ａが形成されている。上記嵌合突起３ａが嵌合穴１ａに勘合することにより、上記樹脂製上板１と樹脂製下板３が固定されることになる。
尚、上記のような嵌合固定部が一箇所或いは複数箇所に設けられているものである。
又、上記袋ナット７は上記電気接続用バスバ５によって押さえられる状態となっていて、それによって、袋ナット部７と電気接続用バスバ５は導通可能な状態となっている。
【００１２】
次に、図２に示すように、インサート成形用の金型１１、１３の間に上記中間品９をセットする。その状態で金型１１、１３の間に樹脂を流し込んでインサート成形を行なう。上記中間品９を構成する上記樹脂製上板１と樹脂製下板３には、上記金型１１、１３に対する位置決めを行なうための位置決め用凸部が形成されている。又、金型１１、１３内に流し込んだ樹脂の一部は溝４を介して樹脂製上板１と樹脂製下板３との間に入り込み、電気接続用バスバ５の周囲に流れ込む。
【００１３】
次に、図３に示すように、所定の養生期間をおいた後に金型１１、１３を 分離させて、インサート成形品１５を取り出す。取り出したインサート成形品１５を図４に示す。上記インサート成形品１５の内部には、中間品９がそのまま内蔵されている。
【００１４】
以上本実施の形態によると次のような効果を奏することができる。
まず、電気接続用バスバ５を一次成形品である樹脂製上板１と樹脂製下板３との間に挟みこんで中間品９として金型１１、１３の間にセットするようにしているので、従来のように、電気接続用バスバ５を直接金型１１、１３内にセットする場合に比べて、作業が簡単になり熟練を要するようなこともない。よって、インサート成形作業が容易になり、その結果、コストの低減を図ることができる。
又、それと同時に従来予め内蔵させることができなかった袋ナット７についても同時に組み込むことができるようになり、それによって、インサート成形品１５の付加価値を高めることができるようになった。
又、一次成形品としての樹脂製上板１と樹脂製下板３の形状に様々な変化を持たせることにより、最終的に得られるインサート成形品１５についても同様に様々な変化を持たせることが可能になる。
又、樹脂製上板１と樹脂製下板３には、電気接続用バスバ５と袋ナット７の位置を規定するための嵌合部が予め形成されているので、電気接続用バスバ５と袋ナット７の位置決めに困難を要することはない。又、樹脂製上板１と樹脂製下板３の固定に関しても、嵌合突起３ａが嵌合穴１ａに勘合することにより容易に固定される。したがって、中間品９を構成する作業も簡単であり、作業に熟練を要するようなことはない。
又、樹脂製下板３には挟み込んだ電気接続用バスバ５の周りに樹脂を流し込むための溝４が形成されているので、電気接続用バスバ５の周囲に樹脂が流れ込むことになり、それによって、電機接続用バスバ５の固定がより確実なものとなる。
【００１５】
尚、本発明は前記一実施の形態に限定されるものではない。
前記一実施例では電気接続箱を例に挙げて説明したが対象物としてはそれに限定されるものではなく様々なものが考えられる。
又、前記一実施の形態では、樹脂製下板３側に樹脂導入路としての溝４を形成するようにしたが、樹脂製上板１側に形成しても良く、又、両方に形成するようにしてもよい。又、その数はこれを特に限定するものではない。
又、一次成形品としては、１個の場合も考えられ、又、３個以上の場合も想定される。
その他、図示した構成はあくまで一例である。
【産業上の利用可能性】
【００１６】
本発明は、例えば、インサート成形品を製造するインサート成形品製造方法とインサート成形品に係り、特に、製造作業の容易化を図ることができるように工夫したものに関し、例えば、電気接続箱等のインサート成形に好適である。
【図面の簡単な説明】
【００１７】
【図１】本発明の一実施の形態を示す図で、インサート成型品製造方法を示していて、予め成形されている一次成形品の間に電気接続用バスバと袋ナットを挟みこむ様子を示す分解斜視図である。
【図２】本発明の一実施の形態を示す図で、インサート成型品製造方法を示していて、予め成形されている一次成形品の間に電気接続用バスバと袋ナットを挟みこんだ中間品を金型内に設置する様子を示す分解斜視図である。
【図３】本発明の一実施の形態を示す図で、インサート成型品製造方法を示していて、インサート成形されたインサート成形品を金型内から取り出す様子を示す分解斜視図である。
【図４】本発明の一実施の形態を示す図で、インサート成型品製造方法を示していて、インサート成形されたインサート成形品を示す斜視図である。
【符号の説明】
【００１８】
１  樹脂製上板
1ａ  嵌合穴  
３  樹脂製下板
３ａ  嵌合突起
４  溝（樹脂導入路）
５  電気接続用バスバ
７  袋ナット
９  中間品
１１  金型
１３  金型
１５  インサート成形品
【図１】
2006187985.tif 000003
【図２】
2006187985.tif 000004
【図３】
2006187985.tif 000005
【図４】
2006187985.tif 000006